(57)【要約】    【課題】  角当て部材を物品の角部に装着する際に、該角当て部材の開放辺部で物品の表面及び裏面を傷付けないようにすることを課題とする。    【解決手段】  小口面が直交するパネル材の角部に装着される角当て部材１は、互いに直交して上記両小口面にそれぞれ対接する第１、第２の小口受壁部１０，２０と、両小口受壁部１０，２０の両側部の互いに直交する側端部間に略三角形状に設けられて上記パネル材角部の表裏両面にそれぞれ対接する一対の平行な側壁部３０，３０とを有し、上記各壁部１０，２０，３０，３０によりパネル材の角部を収容する角部収容空間Ｘが形成されている。その場合に、上記両側壁部３０，３０の小口受壁部１０，２０に連続していない開放辺部３０ａ，３０ａの内面側のエッジ部３０ｂ，３０ｂを断面において曲面状又は鈍角状に形成する。    【選択図】    図１
2005145517.tif 000002
【特許請求の範囲】
【請求項１】
パネル材の小口面が直交する角部に装着される角当て部材であって、互いに直交して上記両小口面にそれぞれ対接する第１、第２の小口受壁部と、両小口受壁部の両側部の互いに直交する側端部間に略三角形状に設けられ、上記パネル材角部の表裏両面にそれぞれ対接する一対の平行な側壁部とを有し、上記各壁部によりパネル材の角部を収容する角部収容空間が形成されていると共に、上記両側壁部の小口受壁部に連続していない開放辺部の内面側のエッジ部が断面において曲面状又は鈍角状に形成されていることを特徴とする角当て部材。
【請求項２】
略三角形状の側壁部は、開放辺部が外方に膨出した形状とされていることを特徴とする請求項１に記載の角当て部材。
【請求項３】
開放辺部は、丸みを帯びた形状で外方に膨出していることを特徴とする請求項２に記載の角当て部材。
【請求項４】
少なくとも一方の側壁部には、開放辺部側に基部を有し、先端部が角部収容空間内に若干量突入する切り起し片が設けられていると共に、該切り起し片の先端部の内面側のエッジ部が断面において曲面状又は鈍角状に形成されていることを特徴とする請求項１から３のいずれかに記載の角当て部材。
【請求項５】
全ての構成要素が樹脂で一体成形されていることを特徴とする請求項１から４のいずれかに記載の角当て部材。
【発明の詳細な説明】
【技術分野】
【０００１】
本発明は、物品の角部に装着されて該角部を保護する角当て部材に関し、物品の保護・梱包・保管・運搬の技術分野に属する。
【背景技術】
【０００２】
一般に、内装ドアやテーブル天板等の建具や室内家具調度品等は、保管時や運搬時等にその角部を周囲にぶつけて破損・損傷するのを防止するために、角当て部材と称される保護部材が角部に装着され、その状態で梱包、保管、運送等される。そして、従来、この種の角当て部材においては、様々な改良が提案されている。
【０００３】
例えば、特許文献１及び２には、ドアパネルやミラーキャビネットといった平板状のパネル材の角部を保護するために、互いに直交する縦壁部と横壁部と一対の側壁部とを有する箱形状の角当て部材が開示されており、この角当て部材を段ボール紙の組立てで作製することが提案されている。また、特許文献３及び４には、角当て部材を物品に装着したときに、該角当て部材が物品から脱落するのを防止するために、角当て部材の側壁部に、物品の側面を弾性復元力で押圧する押圧片を形成することが提案されている。
【０００４】
【特許文献１】実開平４−１３２０５４号公報
【特許文献２】特開平１１−１５７５６９号公報
【特許文献３】特許第２６９６６７０号明細書
【特許文献４】特開平９−２９０８５７号公報
【発明の開示】
【発明が解決しようとする課題】
【０００５】
ここで、上記従来技術等においては、図９に例示するように、角当て部材ａの保護対象である物品ｂは、互いに直交する縦面ｃ及び横面ｄと、これらの縦面ｃ及び横面ｄと直交する表面及び裏面ｅ，ｅとを有する一方、角当て部材ａは、上記物品ｂの各面ｃ，ｄ，ｅ，ｅとそれぞれ対接する縦壁部ｆ、横壁部ｇ、及び一対の互いに平行な側壁部ｈ，ｈを有して、これらの壁部ｆ，ｇ，ｈ，ｈにより物品ｂの角部を収容する角部収容空間ｘが画成され、またこれらの壁部ｆ，ｇ，ｈ，ｈの各開放辺部ｉ，ｊ，ｋ，ｋにより上記収容空間ｘの物品突入口ｙが形成される。
【０００６】
そして、角当て部材ａを物品ｂの角部へ装着するときには、角当て部材ａを矢印Ａのように物品ｂに対して斜めに相対移動させることにより、該物品ｂの角部が上記突入口ｙを介して上記収容空間ｘ内に突入することになるが、その際、上記開放辺部ｉ，ｊ，ｋ，ｋのうち、特に、物品ｂの表面及び裏面ｅ，ｅと対接する側壁部ｈ，ｈの開放辺部ｋ，ｋが該物品ｂの表裏両面ｅ，ｅを連続的に擦り付けながら該両面ｅ，ｅ上を移動することになる。
【０００７】
ところがこのとき、従来は、上記開放辺部ｋ，ｋの内面側のエッジ部ｍ，ｍは面取り処理されておらず、角張ったまま放置されていたので、角当て部材ａの装着時には、上記物品ｂの表面及び裏面ｅ，ｅが上記開放辺部ｋ，ｋの内面側のエッジ部ｍ，ｍで擦り付けられて傷付くことがあった。
【０００８】
特に、物品ｂが、芯材ｎの上にオレフィンシートや強化紙等の化粧材ｐが積層された構造である場合には、物品ｂの表面及び裏面ｅ，ｅが傷付いて上記化粧材ｐが破れたり剥がれたりすると、芯材ｎの地肌が露出して物品ｂの商品価値が損なわれてしまう。
【０００９】
また、図９に例示したように、物品ｂの角部において、化粧材ｐが貼付されていない小口面（図例では横面ｄ）が残されている場合には、特に、その面ｄから化粧材ｐの端が角当て部材ａの開放辺部ｋ，ｋに引っ掛かって、該化粧材ｐが符号ｚで示すように剥がれ易くなるのである。
【００１０】
そこで、本発明は、角当て部材を物品の角部に装着する際に、該角当て部材の側壁部の開放辺部で物品の表面及び裏面を傷付けないようにすることを課題とする。以下、その他の課題を含め、本発明を詳しく説明する。
【課題を解決するための手段】
【００１１】
すなわち、本願の請求項１に記載の発明は、パネル材の小口面が直交する角部に装着される角当て部材であって、互いに直交して上記両小口面にそれぞれ対接する第１、第２の小口受壁部と、両小口受壁部の両側部の互いに直交する側端部間に略三角形状に設けられ、上記パネル材角部の表裏両面にそれぞれ対接する一対の平行な側壁部とを有し、上記各壁部によりパネル材の角部を収容する角部収容空間が形成されていると共に、上記両側壁部の小口受壁部に連続していない開放辺部の内面側のエッジ部が断面において曲面状又は鈍角状に形成されていることを特徴とする。
【００１２】
次に、請求項２に記載の発明は、上記請求項１に記載の角当て部材において、略三角形状の側壁部は、開放辺部が外方に膨出した形状とされていることを特徴とする。
【００１３】
次に、請求項３に記載の発明は、上記請求項２に記載の角当て部材において、開放辺部は、丸みを帯びた形状で外方に膨出していることを特徴とする。
【００１４】
次に、請求項４に記載の発明は、上記請求項１から３のいずれかに記載の角当て部材において、少なくとも一方の側壁部には、開放辺部側に基部を有し、先端部が角部収容空間内に若干量突入する切り起し片が設けられていると共に、該切り起し片の先端部の内面側のエッジ部が断面において曲面状又は鈍角状に形成されていることを特徴とする。
【００１５】
そして、請求項５に記載の発明は、上記請求項１から４のいずれかに記載の角当て部材において、全ての構成要素が樹脂で一体成形されていることを特徴とする。
【発明の効果】
【００１６】
上記請求項１に記載の発明によれば、角当て部材を保護対象であるパネル材（例えば内装ドアや吊り戸等の建具）の角部に装着する際に該パネル材の表面及び裏面を連続的に擦り付けることになる、上記角当て部材の側壁部の開放辺部の内面側のエッジ部が、断面において曲面状や鈍角状に形成されて面取り処理されているから、該開放辺部でパネル材の表面及び裏面が擦り付けられて傷付くという不具合が抑制される。その結果、たとえパネル材が芯材の上にオレフィンシートや強化紙等の化粧材が積層された構造であっても、該化粧材が破れたり剥がれたりすることが抑制され、パネル材の商品価値が低下することがない。
【００１７】
次に、請求項２に記載の発明によれば、角当て部材の略三角形状の側壁部が、他の第１、第２の小口受壁部等に比べて、装着しようとするパネル材の側に張り出すことになるから、この角当て部材をパネル材の角部に装着するときには、まず最初に上記側壁部の張出部をパネル材の角部に引っ掛けることにより、その装着が容易に行えるようになる。
【００１８】
次に、請求項３に記載の発明によれば、上記側壁部の張出部が丸みを帯びた形状を呈することになるから、たとえこの張出部が誤ってパネル材に衝突等しても、該張出部でパネル材を損傷するようなことが回避される。
【００１９】
次に、請求項４に記載の発明によれば、側壁部に設けられた切り起し片が角部収容空間内に若干量突入して前述の押圧片としての機能を発揮することになるから、当該角当て部材をパネル材に装着したときには、上記切り起し片でパネル材の表面又は裏面の少なくとも一方を押圧して角当て部材が保護対象であるパネル材から脱落するのが防止される。
【００２０】
ただし、この場合、上記切り起し片の先端部における内面側のエッジ部も、開放辺部の内面側のエッジ部と同様、角当て部材をパネル材の角部に装着する際に、あるいは角当て部材をパネル材の角部から取り外す際に、該パネル材の表面及び裏面を連続的に擦り付けることになるから、この切り起し片の先端部の内面側のエッジ部も面取り処理しておかないと、やはりそのエッジ部でパネル材の表面及び裏面を擦り付けて傷付ける可能性がある。
【００２１】
そこで、この請求項４に記載の発明においては、角当て部材をパネル材の角部に装着する際及びパネル材の角部から取り外す際に該パネル材の表面及び裏面を連続的に擦り付けることになる、上記切り起し片の先端部の内面側のエッジ部もまた、断面において曲面状や鈍角状に形成して面取り処理するようにしたのである。これにより、側壁部の開放辺部と同様、切り起し片の先端部でパネル材の表面及び裏面を擦り付けて傷付けるという不具合が抑制され、たとえパネル材が芯材の上にオレフィンシートや強化紙等の化粧材が積層された構造であっても、該化粧材が破れたり剥がれたりすることが抑制され、パネル材の商品価値が担保される。
【００２２】
そして、請求項５に記載の発明によれば、角当て部材の全ての構成要素が樹脂で一体成形されているから、角当て部材が簡単・容易に製造され、ひいては保護対象であるパネル材のコストアップ抑制が図られる。
【００２３】
ここで、角当て部材の一体成形に使用し得る樹脂としては特に限定されないが、例えばポリエチレン樹脂（ＰＥ）、ポリエチレンテレフタラート樹脂（ＰＥＴ）、あるいはポリプロピレン樹脂（ＰＰ）等が、成形性、塑性変形性、あるいは経済性等の点で好適である。以下、実施の形態を通して、本発明をさらに詳しく説明する。
【発明を実施するための最良の形態】
【００２４】
本実施形態においては、本発明は、図１に示す角当て部材１に適用されている。この角当て部材１は、上下方向に広がる縦壁部（小口受壁部）１０と、水平方向に広がる横壁部（小口受壁部）２０と、これら２つの壁部１０，２０の両側に位置して上下方向に広がる左右一対の側壁部３０，３０とを有して、これら４つの壁部１０，２０，３０，３０により角部収容空間Ｘが画成されると共に、これら４つの壁部１０，２０，３０，３０の開放辺部１０ａ，２０ａ，２０ａ，３０ａ，３０ａにより上記収容空間Ｘの物品突入口Ｙが形成されている。
【００２５】
図２に示すように、この角当て部材１は、例えば、保護対象である内装ドア１００の４隅の角部に装着される。その場合、角当て部材１の縦壁部（小口受壁部）１０は、内装ドア１００の角部において互いに直交する面のうち、左右の小口面１０１と対接し、横壁部（小口受壁部）２０は、上下の小口面１０２と対接し、側壁部３０は、表面又は裏面１０３と対接する。そして、この角当て部材１を内装ドア１００の角部へ装着するときには、該角当て部材１を矢印Ａのように内装ドア１００に対して斜めに相対移動させて、内装ドア１００の角部を上記突入口Ｙを介して上記収容空間Ｘ内に突入させる。逆に、この角当て部材１を内装ドア１００の角部から取り外すときには、該角当て部材１を矢印Ｂのように相対移動させて、内装ドア１００の角部を上記収容空間Ｘから離脱させる。
【００２６】
図１に戻り、縦壁部１０は、四角形状の単一壁で構成され、横壁部２０は、それよりも幅の狭い四角形状の単一壁２１と、該単一壁２１を間に挟んで両側に位置する左右一対の四角柱要素２２，２２とで構成され、側壁部３０，３０は、５つの辺を有するが略三角形状の単一壁で構成されている。
【００２７】
ここで、縦壁部１０の下端部と横壁部２０の単一壁２１の奥端部とが９０°に交差して連続している。また、横壁部２０の単一壁２１の左右側端部と四角柱要素２２，２２の下面とが面一に連続している。さらに、横壁部２０の四角柱要素２２，２２の奥端部が縦壁部１０の下部に突き当たって連続している。一方、側壁部３０，３０の奥端部と縦壁部１０の左右側端部とが９０°に交差して連続している。そして、側壁部３０，３０の下端部と横壁部２０の四角柱要素２２，２２の外面とが面一に連続している。
【００２８】
ここで、横壁部２０が、単一壁２１だけでなく、中空構造の四角柱要素２２，２２を備えることにより、有効な衝撃干渉作用が奏される。また、図３に示すように、横壁部２０は、四角柱要素２２，２２の上面で内装ドア１００の上下の小口面１０２と対接する。その結果、相互に隣接する壁部とは連続していない、縦壁部１０の上端部が開放辺部１０ａとなり、横壁部２０の四角柱要素２２，２２の手前上端部が開放辺部２０ａ，２０ａとなり、側壁部３０，３０の５つの辺のうちの上端部、傾斜端部、及び手前端部が全体で開放辺部３０ａ，３０ａとなって、これらが協働して収容空間Ｘの突入口Ｙを形成している。
【００２９】
したがって、この角当て部材１を内装ドア１００の角部へ装着するときには、上記開放辺部１０ａ，２０ａ，２０ａ，３０ａ，３０ａのうち、特に、内装ドア１００の表面及び裏面１０３，１０３と対接する側壁部３０，３０の開放辺部３０ａ，３０ａが該内装ドア１００の表面及び裏面１０３，１０３を連続的に擦り付けながら該面１０３，１０３上を移動することになる。それゆえ、この角当て部材１においては、上記側壁部３０，３０の開放辺部３０ａ，３０ａで内装ドア１００の表面及び裏面１０３，１０３を擦り付けたり削ったりして損傷することを抑制するために、上記開放辺部３０ａ，３０ａの内面側のエッジ部３０ｂ，３０ｂを面取り処理している。
【００３０】
具体的には、図４に拡大して示すように、この角当て部材１の側壁部３０，３０の開放辺部３０ａ，３０ａにおける内面側のエッジ部３０ｂ，３０ｂを断面において曲面状（Ｒ状）に形成している。これにより、この角当て部材１の装着時には、収容空間Ｘに突入された内装ドア１００の表面及び裏面１０３，１０３上を、上記側壁部３０，３０の開放辺部３０ａ，３０ａが装着方向Ａに滑らかに移動し、その結果、たとえ内装ドア１００が、木製の芯材１１１の上にオレフィンシートや強化紙等の化粧材１１２が積層されたような構造であっても、該化粧材１１２が破れたり剥がれたりすることが抑制され、芯材１１１の地肌が露出することが回避されて、内装ドア１００の商品価値が保証される。
【００３１】
あるいは、図５に例示するように、この角当て部材１の側壁部３０，３０の開放辺部３０ａ，３０ａにおける内面側のエッジ部３０ｂ，３０ｂを切り落として、内装ドア１００の表面及び裏面１０３，１０３に対する上記エッジ部３０ｂ，３０ｂの角度を断面において鈍角状に形成しても、同様の作用効果が奏される。
【００３２】
さらに、図６に例示するように、側壁部３０，３０の開放辺部３０ａ，３０ａにおける内面側のエッジ部３０ｂ，３０ｂだけでなく、外面側（反収容空間Ｘ側あるいは反内装ドア１００側）のエッジ部も併せて面取り処理しても構わない。
【００３３】
また、図１に示したように、本実施形態では、略三角形状の側壁部３０は、縦壁部１０の開放辺部１０ａと横壁部２０の開放辺部２０ａとを結ぶ線（鎖線で図示）よりも側面視において外方に膨出した形状とされている（張出部３０ｃ）。これにより、角当て部材１の側壁部３０が、他の縦壁部１０や横壁部２０等に比べて、装着しようとする内装ドア１００の側（装着方向Ａの側）に張り出すことになるから、この角当て部材１を内装ドア１００の角部に装着するときには、まず最初に上記張出部３０ｃを内装ドア１００の角部に引っ掛けることにより、その装着が容易に行えるようになる。
【００３４】
そのうえで、上記張出部３０ｃにおける上端部と傾斜端部との交点３０ｄ、及び傾斜端部と手前端部との交点３０ｄ、すなわち張出部３０ｃの突端は、側面視において曲線状とされ、丸みを帯びた形状とされているから、たとえ角当て部材１の装着時に上記張出部３０ｃが誤って内装ドア１００に衝突等しても、該張出部３０ｃで内装ドア１００を損傷するようなことが回避される。
【００３５】
ここで、側壁部３０の開放辺部３０ａの全域に亘って内面側のエッジ部３０ｂを面取り処理するのではなく、状況に応じて、上記開放辺部３０ａの一部のみにおいて内面側のエッジ部３０ｂを面取り処理するようにしてもよい。例えば、本実施形態においては、側壁部３０の開放辺部３０ａのうち、上記張出部３０ｃに属する傾斜端部が最も長く、また装着方向Ａに対して垂直に延びて、内装ドア１００の表面及び裏面１０３を擦り付ける度合いが最も高いから、上記開放辺部３０ａの上端部及び手前端部の内面側のエッジ部は面取り処理を省略して、傾斜端部の内面側のエッジ部のみ面取り処理しても構わない。
【００３６】
そして、図１に示したように、この角当て部材１の側壁部３０，３０の略中央にはコ字状に切り込みが入れられ、その結果形成された片４０，４０が内側に立ち起こされて、その先端部が、図３に明らかなように、角部収容空間Ｘ内に若干量突出している。したがって、この切り起し片４０，４０は、角部収容空間Ｘに突入された内装ドア１００の表面及び裏面１０３，１０３を押圧する押圧片として機能し、これにより、この角当て部材１を内装ドア１００に装着したときに、該角当て部材１が保護対象である内装ドア１００から脱落するのが防止される。
【００３７】
そして、本実施形態においては、図７に拡大して示すように、上記脱落防止用切り起し片４０の先端部４０ｂにおける内面側のエッジ部４０ｃもまた断面において曲面状や鈍角状に形成されている。すなわち、上記切り起し片４０は、前述したように、収容空間Ｘに突入された内装ドア１００の表面及び裏面１０３，１０３を所定の弾性復元力で押圧するように上記収容空間Ｘ内に突出しているから、その先端部４０ｂの内面側のエッジ部４０ｃは、上記側壁部３０の開放辺部３０ａの内面側のエッジ部３０ｂと同様、この角当て部材１を内装ドア１００に装着する際に（装着方向Ａ）、あるいはこの角当て部材１を内装ドア１００から取り外す際に（離脱方向Ｂ）、該内装ドア１００の表面及び裏面１０３，１０３を連続的に擦り付けることになる。
【００３８】
そこで、上記切り起し片４０の先端部４０ｂの内面側のエッジ部４０ｃを面取り処理しておくことにより、該エッジ部４０ｃで内装ドア１００の表面及び裏面１０３，１０３が損傷するのを抑制するようにしたのである。特に、上記切り起し片４０は、芯材１１１の上に化粧材１１２が積層貼付される可能性が大きい内装ドア１００の表面及び裏面１０３，１０３と接触するので、該面１０３の損傷抑制を図る効果は非常に大きい。
【００３９】
なお、図７に図示したように、切り起し片４０の立ち上がりの基部４０ａは、先端部４０ｂよりも、突入口Ｙに近い側（すなわち開放辺部３０ａ側）にある。したがって、この角当て部材１の装着時には、上記基部４０ａの側から先端部４０ｂの側に向けて物品１００が相対移動し、その結果、切り起し片４０は順目に倒されていく。一方、この角当て部材１の取り外し時には、上記先端部４０ｂの側から基部４０ａの側に向けて物品１００が相対移動し、その結果、切り起し片４０は逆目に起こされていく。したがって、この切り起し片４０の先端部４０ｂの内面側のエッジ部４０ｃは、装着時よりも取り外し時において、内装ドア１００の表面及び裏面１０３，１０３を擦り付けて損傷させる可能性が大きいといえる。
【００４０】
また、図１及び図３に例示したように、この角当て部材１の側壁部３０，３０には、該側壁部３０，３０の奥端部及び下端部に沿って走るＶ字凹溝５０，５０が形成されている。この凹溝５０は、収容空間Ｘに突入させる内装ドア１００の幅が不測に過大であるときや、あるいは内装ドア１００の表面や裏面１０３から付属品が突出しているとき等に、少なくとも一方の側壁部３０を切り取り除去して対応するためのものである（図３の拡大円内に示した破線はそのときの切断線の１具体例である）。
【００４１】
そして、この角当て部材１は、例えば、成形性、塑性変形性、経済性等を考慮して、ポリエチレン樹脂（ＰＥ）、ポリエチレンテレフタラート樹脂（ＰＥＴ）、あるいはポリプロピレン樹脂（ＰＰ）等を素材とした射出成形により、全ての構成要素が一体成形されている。これにより、この角当て部材１の製造が簡単・容易なものとなり、ひいては保護対象である内装ドア１００のコスト低減も図られる。
【００４２】
以上説明した実施形態は、本発明を実施するための最良の形態ではあるが、本発明の趣旨を逸脱しない限り、なお種々の変更や省略が可能なことはいうまでもない。例えば、図８に例示するように、側壁部３０における張出部３０ｃや切り起し片４０あるいはＶ字凹溝５０等を全て省略したり、あるいは、横壁部２０を単一壁のみで構成してもよい。
【産業上の利用可能性】
【００４３】
以上、具体例を挙げて詳しく説明したように、本発明は、物品の角部を保護する角当て部材を物品に装着する際、あるいは物品から取り外す際に、該角当て部材の壁部の開放辺部や、脱落防止用切り起し片の先端部等で、物品の表面や裏面を擦り付けたり削ったりして損傷するという不具合を抑制することができる。本発明は、内装ドアや吊り戸等の建具、あるいはキャビネットやテーブル天板等の室内家具調度品等のインテリア製品をはじめとする、各種様々な物品の保護・梱包・保管・運搬の技術分野において幅広い産業上の利用可能性を有する。
【図面の簡単な説明】
【００４４】
【図１】本発明の第１の実施の形態に係る角当て部材の斜視図である。
【図２】上記角当て部材を４隅の角部に装着した内装ドアの正面図である。
【図３】上記角当て部材の突入口側から縦壁部側へ向かう正対図であり、かつＶ字凹溝の構成及び作用を拡大円内に示すものである。
【図４】図１の矢視アによる部分拡大断面図であって、上記角当て部材の側壁部の開放辺部における内面側のエッジ部を曲面状に形成したものである。
【図５】同じく図１の矢視アによる部分拡大断面図であって、上記角当て部材の側壁部の開放辺部における内面側のエッジ部を鈍角状に切り落としたものである。
【図６】同じく図１の矢視アによる部分拡大断面図であって、上記角当て部材の側壁部の開放辺部全体を曲面状に形成したものである。
【図７】図１の矢視イによる部分拡大断面図であって、脱落防止用切り起し片の先端部の内面側のエッジ部を曲面状に形成したものである。
【図８】本発明の第２の実施の形態に係る角当て部材の斜視図である。
【図９】従来の角当て部材が有する問題の説明図である。
【符号の説明】
【００４５】
１        角当て部材
１０      縦壁部（小口受壁部）
２０      横壁部（小口受壁部）
３０      側壁部
３０ａ    側壁部の開放辺部
３０ｂ    開放辺部の内面側のエッジ部
３０ｃ    側壁部の張出部
３０ｄ    張出部の突端
４０      脱落防止用切り起し片
４０ｂ    切り起し片の先端部
４０ｃ    先端部の内面側のエッジ部
５０      側壁部除去用Ｖ字凹溝
１００    内装ドア
１０１    左右小口面
１０２    上下小口面
１０３    表面、裏面
１１１    芯材
１１２    化粧材
Ｘ        角部収容空間
Ｙ        物品突入口
【図１】
2005145517.tif 000003
【図２】
2005145517.tif 000004
【図３】
2005145517.tif 000005
【図４】
2005145517.tif 000006
【図５】
2005145517.tif 000007
【図６】
2005145517.tif 000008
【図７】
2005145517.tif 000009
【図８】
2005145517.tif 000010
【図９】
2005145517.tif 000011